(57)【要約】【課題】容器型分与器に用いられる容積型ポンプのためのポンプヘッドにおいて、そのオリフィスを通して分与される溶液が的はずれの方向へ放出されるのを制限すること。【解決手段】ポンプヘッド４０は、本体の上面に設けられて、使用者により押し下げられる駆動パッド４６と、本体の首部分４８の内部に設けられて、容積型ポンプに接続するようにされている穴５２と、本体のノズル部分４２の一端に設けられて、穴５２の中心軸線５８に対して垂直であるノズル平面部５６と、このノズル平面部に形成されているオリフィス４４と、穴５２とオリフィス４４との間に延びているアーチ形通路５４とを包含する。オリフィス４４は長円形であって、その長軸線は短軸線の２倍とされている。【選択図】図４
2009102071.tif 000002
【特許請求の範囲】
【請求項１】
容積型ポンプのためのポンプヘッドにおいて、
本体と、
前記本体の外部に設けられ、使用者により操作される駆動パッドと、
前記本体の内部に設けられて、中心軸線を有し、前記容積型ポンプに接続するようにされている穴と、
前記本体の一端に設けられ、前記穴の中心軸線に対して実質的に垂直であるノズル平面部と、
前記ノズル平面部に形成されているオリフィスと、
前記穴と前記オリフィスとの間に延びている通路と、
を包含することを特徴とするポンプヘッド。
【請求項２】
請求項１記載のポンプヘッドにおいて、前記オリフィスが幾何学的に長円形であることを特徴とするポンプヘッド。
【請求項３】
請求項２記載のポンプヘッドにおいて、前記通路がアーチ形であることを特徴とするポンプヘッド。
【請求項４】
請求項３記載のポンプヘッドにおいて、前記通路が円形断面であって、前記穴から前記オリフィスにまで一様の断面で広がっていることを特徴とするポンプヘッド。
【請求項５】
請求項４記載のポンプヘッドにおいて、前記通路が固定半径を有することを特徴とするポンプヘッド。
【請求項６】
請求項５記載のポンプヘッドにおいて、前記オリフィスが長軸線及び短軸線を有し、前記長軸線が前記短軸線の実質的に２倍であることを特徴とするポンプヘッド。
【請求項７】
請求項６記載のポンプヘッドにおいて、前記オリフィスの長軸線が前記穴の中心軸線と直交していることを特徴とするポンプヘッド。
【請求項８】
請求項７記載のポンプヘッドにおいて、前記本体がポリプロピレンをモールド成形した単一体であることを特徴とするポンプヘッド。
【請求項９】
請求項８記載のポンプヘッドにおいて、前記本体は前記穴の部分の外周部にねじ部が設けられていることを特徴とするポンプヘッド。
【請求項１０】
溶液分与器において、
容器と、
前記容器の中に保持されている容積型ポンプと、
前記容器に取り付けられていると共に前記容積型ポンプに作動的に接続されているポンプヘッドと、
を包含し、前記ポンプヘッドが、
本体と、
前記本体の外部に設けられ、使用者により操作される駆動パッドと、
前記本体の内部に設けられて、中心軸線を有し、前記容積型ポンプに接続するようにされている穴と、
前記本体の一端に設けられ、前記穴の中心軸線に対して実質的に垂直であるノズル平面部と、
前記ノズル平面部に形成されているオリフィスと、
前記穴と前記オリフィスとの間に延びている通路と、
を包含することを特徴とする溶液分与器。
【請求項１１】
請求項１０記載の溶液分与器において、前記オリフィスが幾何学的に長円形であることを特徴とする溶液分与器。
【請求項１２】
請求項１１記載の溶液分与器において、前記通路がアーチ形であることを特徴とする溶液分与器。
【請求項１３】
請求項１２記載の溶液分与器において、前記通路が円形断面であって、前記穴から前記オリフィスにまで一様の断面で広がっていることを特徴とする溶液分与器。
【請求項１４】
請求項１３記載の溶液分与器において、前記通路が固定半径を有することを特徴とする溶液分与器。
【請求項１５】
請求項１４記載の溶液分与器において、前記オリフィスが長軸線及び短軸線を有し、前記長軸線が前記短軸線の実質的に２倍であることを特徴とする溶液分与器。
【請求項１６】
請求項１５記載の溶液分与器において、前記オリフィスの長軸線が前記穴の中心軸線と直交していることを特徴とする溶液分与器。
【請求項１７】
請求項１６記載の溶液分与器において、前記本体がポリプロピレンをモールド成形した単一体であることを特徴とする溶液分与器。
【請求項１８】
請求項１７記載の溶液分与器において、前記本体は前記穴の部分の外周部にねじ部が設けられていることを特徴とする溶液分与器。
【発明の詳細な説明】
【技術分野】
【０００１】
本発明は、種々の種類の溶液を分与するために用いられる分与器の技術に属する。詳細には、本発明はこのような分与器に用いられる容積型ポンプのためのポンプヘッドに関する。より詳細には、本発明は容器型分与器に用いられる容積型ポンプのためのポンプヘッドであって、溶液が的はずれの方向へ分与されるのを制限するために分与オリフィスの詰まり又は溶液の凝固を最小にするような構造とされたポンプヘッドに関する。
【背景技術】
【０００２】
現在、種々の種類の溶液を分与するために分与器を使用することは広く知られている。現在、種々の石けん、抗菌溶液、クリーナ及び同種物は容器内に所定量準備され、容器はこの容器と関連している手動式の容積型ポンプを有し、手動式の容積型ポンプは容器内の溶液を使用者の手が置かれている限定区域内に分与せしめるような構造とされている。このような容器から分与される多くの溶液は、十分に低い粘度及びちょう度を有し、オリフィス（このオリフィスを通して溶液が分与される）は１回目の分与作動からその次の分与作動までほとんどきれいであってふさがれていない。したがって、分与した溶液の流れはほとんど予想通りであると共に一定しており、溶液が的はずれの方向へ放出されることない。溶液が的はずれの方向へ放出されると、溶液をその目的とした対象物、すなわち使用者の手以外のところに吹きつけてしまうものである。
【０００３】
現在、多くの抗菌溶液は、アルコールをベースとし、溶液の粘度をゼラチン状流体になるまで増大せしめる高分子増粘剤、例えばカーボメルを含有している。分与作動の後、このような高分子増粘剤の存在及び溶液の水及びアルコール成分の蒸発により、分与又は出口オリフィスに残っている溶液の残留物がしばしば凝固し又は硬化してしまう。このようなことが起ったときには、分与器の出口オリフィスがいくらか詰まり、オリフィスの幾何学的形状を変えて、オリフィスに偏向区域を形成しめ、オリフィスから放出される溶液の放出方向を変えてしまう。その結果として、標準型分与器のノズルからの、このような溶液の分与は、しばしば、溶液を的はずれの方向へ分与せしめることを生じせしめる。
【０００４】
更に、先行技術の分与オリフィスは一般に垂直の方向とされているので、溶液が的はずれの方向へ放出されたときには、溶液が目的とした使用者の手以外の使用者の衣類、顔又は他の身体部分に分与されてしまう。その結果は、とても不満足なものである。溶液を的はずれの方向へ放出して使用者の手以外のところに吹き付けることは、使用者には疑いなく認められるものではない。また、すでに知られている分与器において、実際に詰まった又は凝固した溶液は分与オリフィスの外観を汚し、溶液それ自体が意図している清潔さ及び衛生さと矛盾する。
【０００５】
以上述べたことから、当分野においては、容積型ポンプ及び容器型分与器と一緒に用いられるポンプヘッドであって、分与オリフィスで詰まりやすい又は凝固しやすい溶液と一緒に用いることができて、溶液の凝固により生じる、的はずれの方向へ溶液の分与を抑制又は制限するような構造とされているポンプヘッドが必要とされる。また、当分野においては、審美的で受け入れることができる外観を与えるために詰まる又は凝固する溶液の大きさを最小にせしめるポンプヘッドが必要とされる。更に、当分野においては、容器型分与器の容積型ポンプと一緒に用いられるポンプヘッドであって、構造が簡単であると共に、実施するのに有効なコストであり、かつ現在存在している容器型分与器と一緒に用いることができるように容易に工夫されているポンプヘッドが必要とされている。
【発明の開示】
【発明が解決しようとする課題】
【０００６】
上述したことを鑑み、本発明の主たる目的は、容器型分与器の容積型ポンプのためのポンプヘッドであって、出口オリフィスが下向きに向けられているポンプヘッドを提供することにある。
【０００７】
本発明の他の目的は、容器型分与器の容積型ポンプのためのポンプヘッドであって、出口オリフィスが溶液の詰まり及び凝固を最小にせしめるような構造とされているポンプヘッドを提供することにある。
【０００８】
本発明の更に他の目的は、容器型分与器の容積型ポンプのためのポンプヘッドであって、出口オリフィスが的はずれの方向への溶液の分与を許容できる対象範囲に抑制又は制御するような幾何学的形状とされているポンプヘッドを提供することにある。
【０００９】
本発明の更に他の目的は、容器型分与器の容積型ポンプのためのポンプヘッドであって、的はずれの方向へ溶液が分与される回数、強さ及び形態を制限せしめ、かつ既存の容積型ポンプ及び容器型分与器に実施するのが容易とされているポンプヘッドを提供することにある。
【課題を解決するための手段】
【００１０】
本発明の以上述べた目的及び後述する詳細な説明から明らかになるであろう他の目的は、容積型ポンプのためのポンプヘッドにおいて、本体と、前記本体の外部に設けられ、使用者により操作される駆動パッドと、前記本体の内部に設けられて、中心軸線を有し、前記容積型ポンプに接続するようにされている穴と、前記本体の一端に設けられ、前記穴の中心軸線に対して実質的に垂直であるノズル平面部と、前記ノズル平面部に形成されているオリフィスと、前記穴と前記オリフィスとの間に延びている通路とを包含することを特徴とするポンプヘッドにより達成される。
【００１１】
また、本発明のこれらの目的は、溶液分与器において、容器と、前記容器の中に保持されている容積型ポンプと、前記容器に取り付けられていると共に前記容積型ポンプに作動的に接続されているポンプヘッドとを包含し、前記ポンプヘッドが、本体と、前記本体の外部に設けられ、使用者により操作される駆動パッドと、前記本体の内部に設けられて、中心軸線を有し、前記容積型ポンプに接続するようにされている穴と、前記本体の一端に設けられ、前記穴の中心軸線に対して実質的に垂直であるノズル平面部と、前記ノズル平面部分に形成されているオリフィスと、前記穴と前記オリフィスとの間に延びている通路とを包含することを特徴とする溶液分与器により達成される。
【００１２】
本発明の種々の目的、構造及び技術を完全に理解するために、下記の詳細な説明及び添付図面が次に参照される。
【発明を実施するための最良の形態】
【００１３】
図面、特に図１を参照するに、本発明において用いられる型式の容器型分与器が符号１０により総括的に示されていることを見ることができる。容器型分与器１０は、典型的には、適当なガラス、プラスチック材料又は同種材料の容器１２を包含する。図１に示されているように、容器１２はしばしば透明材料から作られる。ポンプ機構アセンブリ１４は、容器１２の首部により保持されていると共に、容器１２の首部に螺着したキャップ１６の手段により容器１２の首部に固定されている。容積型ポンプ１８は、ポンプ機構アセンブリ１４の主部分を構成し、また、ポンプ１８から延びているディップチューブ２０を包含する。ディップチューブ２０は、容器１２の底部にまで延びている。図示されているように、ディップチューブ２０の底部は、容器内の溶液を最大に取り入れることを保証するために、典型的には、一定の角度で斜めに切断されている。
【００１４】
図示されているように、カラー２２がキャップ１６の頂部に設けられ、中空のポンプシャフト又はステム２４がこのカラー２２を通して延びている。図示されているように、ポンプヘッドアセンブリ２６が中空のポンプシャフト又はステム２４を受け入れている。
【００１５】
当業者には認識されるように、ポンプヘッドアセンブリ２６は、典型的には、ノズル２８を包含し、ノズル２８はその末端にノズルオリフィス又は開口３０を有する。駆動パッド又は表面３２は、溶液を分与するために容積型ポンプ１２を駆動するために、使用者の手の指、特に親指により操作せれるように設けられている。首部３４は、ノズル２８の主部分から下向きに延びていると共に、その外周部に複数のねじ部３６が設けられている。これらのねじ部３６は、分与器の輸送の間及び分与器の不使用の期間中などにおいてポンプが作動するのを防止するために、カラー２２の内部に設けられているねじ部（図示せず）と組み合うようにされている。
【００１６】
図１を続けて参照するに、当業者は次のことを認識できるであろう。すなわち、使用者の手により加えられる駆動パッド又は表面３２への下向きの力は容積型ポンプ１８を駆動せしめ、これにより、溶液がディップチューブ２０、ポンプ１８、中空のポンプシャフト又はステム２４、首部３４、ノズル２８、及びノズルオリフィス又は開口３０の出口を通して吐出される。先行技術のノズルオリフィス又は開口３０は、図示されているように、垂直面から２０°−４０°程度だけそれて、実質的に垂直の方向とされている。しかしながら、上述したように、ノズルオリフィス３０がこのような分与器において詰まったときには、その後溶液をしばしば的はずれの方向へ分与せしめ、溶液を使用者の衣類、顔、又は溶液を吹きつけられることが好ましくない他の身体部分に吹きつけてしまうものである。溶液を的はずれの方向へ分与せしめる、この傾向は、溶液の詰まり又は凝固がノズルオリフィス３０の底部又は最下部分に生じることにより強くなり、溶液を分与作動により上向きにそらす傾向となる。更に、ノズルオリフィス３０の平面部が実質的に垂直の方向とされていると、溶液の詰まり又は凝固がしばしば使用者に見えて、不体裁であり、この種の分与器の所望する衛生保管と矛盾する。
【００１７】
次に図２−図５を参照するに、本発明にしたがって作られたポンプヘッドアセンブリが符号４０により総括的に示され、このポンプヘッドアセンブリ４０がノズル部分４２を有する本体と、ノズルオリフィス又は開口４４と、駆動パッド又は表面４６と、外周部に複数のねじ部５０を有する首部分４８とを包含していることを見ることができる。要するに、このポンプヘッドアセンブリ４０は図１に示されているポンプヘッドアセンブリ２６の直接の代替物及び置換物とされる。
【００１８】
図４に最も良く見られるように、段付き穴５２が、首部分４８の内部に設けられて、その中にポンプシャフト又はステム２４を受け入れるようにしている。上述したように、ポンプシャフト又はステム２４は容積型ポンプ１８に接続され、それから容積型ポンプ１８がディップチューブ２０に接続される。
【００１９】
図４に示されているように、アーチ形通路５４が穴５２とノズルオリフィス又は開口４４との間に延びている。このアーチ形通路５４は、ノズル平面部５６と直交し、これによりノズルオリフィス４４を画成している。本発明によれば、容器型分与器が水平表面上に直立して置かれたときに、ノズル平面部５６は実質的に水平である。換言すれば、ノズル平面部５６は穴５２の中心軸線５８に対して垂直である。先行技術においては出口オリフィスの平面部が垂直面から２０°−４０°程度離れているけれども、本発明においてはオリフィス４４が実質的に水平であって穴５２の中心軸線５８に対して実質的に垂直であるノズル平面部５６に位置している。したがって、容積型ポンプ１８によるアーチ形通路５４及びオリフィス４４の出口を通しての溶液の分与は、溶液の詰まり又は凝固にもかかわらず、下向きに向けられ、その結果、起こりやすい詰まりなどにより生じる的はずれの分与方向も、その約５．０８−１０．１６ｃｍ（２−４インチ）内に置かれる人間の手に溶液を確実に吹きつける円錐状の範囲内にとどまることが認められている。
【００２０】
本発明によれば、ポンプヘッドアセンブリ４０は好適にはポリプロピレンの射出成形により作られる。上述したように、通路５４は２５−２９ｍｍ程度、好適には２７ｍｍの固定半径を有するアーチの形である。このような通路５４を形成するために用いられあるアーチ形ピンは、穴５２との直交部付近の部分が２．３ｍｍ程度の直径を有すると共に、オリフィス４４に隣接する部分が２．６ｍｍ程度の直径を有する抜き公配又はテーパ部を有する。この抜き公配又はテーパ部は上記２つの部分間にわたって一様であり、したがって通路５４は円形断面の形状にテーパされる。
【００２１】
オリフィス４４は、図５に示されているように、長円形である。これは、主として、上述した半径のアーチ形通路５４がノズル平面部５６と直交する結果である。長円形のオリフィス４４は、５．３４ｍｍ程度の長軸線及び２．７３ｍｍ程度の短軸線を有する。オリフィス４４が長円形で上述した大きさを有し、長軸線が短軸線のほぼ２倍であると、オリフィス４４で溶液が詰まり及び凝固する傾向は減少することが認められている。更に、ノズル平面部５６が実質的に水平であると、溶液の凝固又は詰まりをほとんど見えないようにし、一層衛生的な満足する分与器を提供する。
【００２２】
以上の説明から、本発明の種々の目的が上述した構成により達成させられたことがわかったであろう。上述したように、長円形の形状であって、実質的に垂直下向きの方向とされている分与オリフィスを有する一体成形型ポンプヘッドアセンブリは、起り得る溶液の的はずれの分与方向を制限し、また、分与オリフィスに起こりがちな溶液の凝固を最小にして、凝固した溶液を見えないようにし、更に、分与方向をとんでもない的はずれの方向とすることなしに、分与しようとする溶液を使用者の手に吹きつけることが認められている。
【００２３】
特許法の規定にしたがって本発明の最良の形態及び好適な実施例についてのみ詳細に述べたけれども、本発明はこのような特定の実施例に又はこれにより限定されるものではない。したがって、本発明の真の範囲を理解するには特許請求の範囲の記載を参照すべきである。
【図面の簡単な説明】
【００２４】
【図１】本発明によるポンプヘッドと一緒に用いられる型式の容器型分与器の正面図であって、先行技術において用いられている型式のポンプヘッドを示す。
【図２】本発明にしたがって作られたポンプヘッドの斜視図である。
【図３】図２のポンプヘッドの平面図である。
【図４】図２及び図３のポンプヘッドの断面図であって、図３の線４−４に沿う断面図である。
【図５】図２のポンプヘッドの底面図である。
【符号の説明】
【００２５】
１０  容器型分与器
１２  容器
１４  ポンプ機構アセンブリ
１６  キャップ
１８  容積型ポンプ
２０  ディップチューブ
２２  カラー
２４  ポンプシャフト
４０  ポンプヘッドアセンブリ
４２  ノズル部分
４４  ノズルオリフィス
４６  駆動パッド
４８  首部分
５０  ねじ部
５２  段付き穴
５４  アーチ形通路
５６  ノズル平面部
５８  中心軸線
【図１】
2009102071.tif 000003
【図２】
2009102071.tif 000004
【図３】
2009102071.tif 000005
【図４】
2009102071.tif 000006
【図５】
2009102071.tif 000007